(57)【要約】【課題】骨盤の構造からみてより仙腸関節の安定・矯正を図り得るように、特に、上・下後腸骨棘部への圧迫部材の構造とその圧迫を加える方向をも考慮して、より適切に構成された腰用ベルトを提供する。【解決手段】ベルト本体２の裏面側で腸骨の上・下後腸骨棘部５０に当接する部位に、凹面形状を有し、当該凹面内底に突起体７，８を備え、当該突起体７，８により上・下後腸骨棘部５０を内下方へ押し込み圧迫するカップ状腸骨当て具５，６を設けるとともに、このカップ状腸骨当て具５，６が設けられた部位のベルト本体２の表側に、Ｘ字状に形成され、カップ状腸骨当て具５，６に対してＸ字状の交点で圧迫し押圧力を伝える補助ベルト９．１０を設ける。【選択図】図１
2008001440.tif 000002
【特許請求の範囲】
【請求項１】
伸縮性を備えるベルト本体によって腸骨を囲繞するとともに、腰部に着脱自在に取り付けられるようにした腰用ベルトであって、
上記ベルト本体の裏面側で腸骨の上・下後腸骨棘部に当接する部位に、凹面形状を有し、当該凹面内底に突起体を備え、当該突起体により上・下後腸骨棘部を内下方へ押し込み圧迫するカップ状腸骨当て具を設けるとともに、
当該カップ状腸骨当て具が設けられた部位のベルト本体の表側に、Ｘ字状に形成され、当該カップ状腸骨当て具に対してＸ字状の交点で圧迫し押圧力を伝えるように伸縮力を発揮する補助ベルトを設けたことを特徴とする腰用ベルト。
【請求項２】
上記カップ状腸骨当て具の突起体が補助ベルトの伸縮力を受けて上・下後腸骨棘部を内下方へ押し込み圧迫する方向を、鉛直方向に対しては、肩峰から大腿骨の太転子を結ぶラインを上・下後腸骨棘部まで平行にスライドさせて鉛直基準ラインとし、当該鉛直基準ラインから最大１０度から１２０度までの範囲に、水平方向に対しては、上記鉛直基準ラインに直交する上・下後腸骨棘部からのラインを水平基準ラインとし、当該水平基準ラインから最大１０度から１２０度までの範囲に設定されたことを特徴とする請求項１に記載の腰用ベルト。
【発明の詳細な説明】
【技術分野】
【０００１】
この発明は、腰用ベルトに関し、特に、骨盤を構成する腸骨に対して特定範囲の方向から押圧する機能を発揮して仙腸関節を安定させることができるようにした腰用ベルトに関するものである。
【背景技術】
【０００２】
人類が二足歩行するに至って以来、重い頭部をＳ字状に湾曲した脊柱で支えなければならず、また、腰椎が上体からの荷重を全て支えなければならないにも拘らず、四足歩行から二足歩行へと移行した結果、直立時に骨盤を前傾させてしまう構造となっており、骨格上、腰椎には負担が掛かり易く、誰もが腰痛を引き起こす危険に晒されるとともに、体軸の不形成を生じ易くなっている。【０００３】
かかる二足歩行において宿命的に生じうる腰痛を緩和軽減するため、若しくは骨盤に生じる歪みを矯正するために種々の腰用ベルトが提案されている。腰用ベルトには、例えば、全体をある程度可撓性があるプラスチックなどで形成して腰部に装着出来るようにしたコルセットや、腰部を伸縮性素材からなる広幅布地で巻きつけ端部同士を面状ファスナーで接続するようにしたサポーターなどがある（特許文献１，２，３）。【０００４】
腰痛の緩和安定を主としたコルセットやサポーターには、さらに、血液の循環を促進する指圧効果や骨盤の歪を矯正する効果を発揮させるため、ベルトの腰部に当接する部位に指圧用突起部や押圧プレート等を配置したものが各種提案されている（特許文献４，５，６）。
【特許文献１】特開平６−７８９４３号公報
【特許文献２】特開２００４−２７７９３６号公報
【特許文献３】特開２００５−１９２６７７号公報
【特許文献４】実開昭６０−１６８８１１号公報
【特許文献５】特開平１１−２５３５２４号公報
【特許文献６】特開２００２−３４５８６６号公報
【発明の開示】
【発明が解決しようとする課題】
【０００５】
上記した各特許文献に記載の腰用ベルト６０は、図７に示すように、二つの腸骨と、一つの仙骨をつないで構成されているいわゆる仙腸関節部の骨盤全体に対して巻きつけることにより、骨盤全体に加圧するように装着する構成となっている。図中二点鎖線がベルト６０を示す。また、指圧用突起物や押圧プレートは、仙骨部を単純に圧迫して血行促進や矯正機能を発揮するように配置されているだけである。【０００６】
ベルトを装着することにより、腰部の後方から腸骨を圧迫したり、若しくは腰部の左右前方から腸骨を圧迫して腸骨間の幅を調整するようにして腰痛矯正を行うように構成されているが、かかる単純な圧迫機能だけでは仙腸関節の構造からみて安定させる方向には力がかかっていなかった。すなわち、仙腸関節の安定を図るには、骨盤としての前傾を効果的に矯正する方向に圧迫を加え、かつ、過度な荷重により使用者が負担にならないように適切な力のみが圧迫力として加わるように工夫する必要があるが、上記した従来の腰用ベルトにはそこまで配慮されているものがなかった。特に、図７で示す上・下後腸骨棘部５０への作用が問題となっていたものである。【０００７】
そこで本発明は、上記事情に鑑みなされたものであり、骨盤の構造からみてより仙腸関節の安定・矯正を図り得るように、特に、上・下後腸骨棘部への圧迫部材の構造とその圧迫を加える方向をも考慮して、より適切に構成された腰用ベルトを提供することを課題としている。
【課題を解決するための手段】
【０００８】
上記課題を解決するために、本発明は次のように構成した。すなわち、請求項１に記載の腰用ベルトは、伸縮性を備えるベルト本体によって腸骨を囲繞するとともに、腰部に着脱自在に取り付けられるようにした腰用ベルトであって、上記ベルト本体の裏面側で腸骨の上・下後腸骨棘部に当接する部位に、凹面形状を有し、当該凹面内底に突起体を備え、当該突起体により上・下後腸骨棘部を内下方へ押し込み圧迫するカップ状腸骨当て具を設けるとともに、当該カップ状腸骨当て具が設けられた部位のベルト本体の表側に、Ｘ字状に形成され、当該カップ状腸骨当て具に対してＸ字状の交点で圧迫し押圧力を伝えるように伸縮力を発揮する補助ベルトを設けたことを特徴としている。【０００９】
請求項２に記載の腰用ベルトは、上記カップ状腸骨当て具の突起体が補助ベルトの伸縮力を受けて上・下後腸骨棘部を内下方へ押し込み圧迫する方向を、鉛直方向に対しては、肩峰から大腿骨の太転子を結ぶラインを上・下後腸骨棘部まで平行にスライドさせて鉛直基準ラインとし、当該鉛直基準ラインから最大１０度から１２０度までの範囲に、水平方向に対しては、上記鉛直基準ラインに直交する上・下後腸骨棘部からのラインを水平基準ラインとし、当該水平基準ラインから最大１０度から１２０度までの範囲に設定されたことを特徴としている。
【発明の効果】
【００１０】
請求項１に記載の腰用ベルトによれば、腸骨の上・下後腸骨棘部に当接する部位にカップ状腸骨当て具が設けられており、ベルト本体を腰に装着してから補助ベルトによりカップ状腸骨当て具を圧迫するように装着すれば、カップ状腸骨当て具に設けた突起体が上・下後腸骨棘部を内下方へ押し込むように作用するので、仙腸関節の本来あるべき位置に矯正され腰部が安定する。【００１１】
請求項２に記載の腰用ベルトによれば、突起体が上・下後腸骨棘部を内下方へ押し込む角度が、骨盤の構造から男女等の個人差を考慮した適切な範囲で設定されることになり、腰用ベルトの使用効能をより確実に発揮することができる。
【発明を実施するための最良の形態】
【００１２】
本発明を実施するための一形態を、図１乃至図６基づいて具体的に説明する。図１は、本発明に係る腰用ベルト１を人体側（裏布）から見た平面図であり、図２は、腰用ベルト１を腹や背中に接触しない表面側（表布）から見た平面図である。この腰用ベルト１は、伸縮性素材で構成されたベルト本体２と、突起体７，８が設けられた一対のカップ状腸骨当て具５，６と、Ｘ字状をした補助ベルト９，１０とから構成されている。【００１３】
ベルト本体２は、中央部のポリエステルを主とする伸縮性を有するメッシュ部２ａと、この両隣により伸縮性を有するゴム素材で形成された弾性部２ｂ，２ｃと、弾性部２ｂの外側に連接するメッシュ部２ｄと、このメッシュ部２ｄの外側に連接し裏面にカット状パイルを有する面ファスナー部２ｅと、弾性部２ｃの外側に連接するループ状パイルを有する面ファスナー部２ｆとからなり、これら周縁部はラッパ状テープ生地２ｇで逢着され、上記各部の境界も逢着されている。【００１４】
また、図１に示すように、ベルト本体２の中央軸線に沿う両側には、板状部材が縫い込まれた基板布地３，４が逢着されており、当該ベルト本体２を腰に装着した際に、基板布地３，４上で腸骨の上・下後腸骨棘部に当接する部位には、カップ状をした一対のカップ状腸骨当て具５，６が回動可能に設けられている。【００１５】
カップ状腸骨当て具５，６には、図３の要部斜視図に示すように、カップ状をした凹面内底にそれぞれ突起体７，８が備え付けられるとともに、図４（ａ）（ｂ）の外観斜視図及び側面図に示すように、カップ状腸骨当て具５，６のベルト本体２側と接する端面が傾斜面に形成されている。この傾斜面の角度設定とカップ状腸骨当て具５，６のベルト本体２への取り付け向きを回動調整することにより、後述する上・下後腸骨棘部５０を内下方へ押し込む方向を決定できるようになっている。【００１６】
また、図２に示すように、カップ状腸骨当て具５，６が配設された部位の裏側、すなわち、腰用ベルト１の腹や背中に接触しない表面側には、Ｘ字状に形成され、カップ状腸骨当て具５，６に対してＸ字状の交点で圧迫するように伸縮力を発揮する伸縮性素材で形成された補助ベルト９，１０が設けられている。【００１７】
補助ベルト９，１０は、その一端部がベルト本体２の中央軸線に沿って逢着され、Ｘ字状の交点部がカップ状腸骨当て具５，６が取り付けられている板状部材が縫い込まれた基板布地３，４の裏側に逢着されるとともに、多端部にカット状パイルを有する面ファスナー部９ａ，１０ａが形成されている。また、ベルト本体２のゴム素材で形成された弾性部２ｂ，２ｃの表面側には、補助ベルト９，１０の多端部に形成された面ファスナー部９ａ，１０ａが係止接着するループ状パイルを有する面ファスナー部２ｈ，２ｉが逢着されている。【００１８】
上記カップ状腸骨当て具５，６は、ベルト本体２を弾性部２ｂ，２ｃの弾力に抗しながら腰の周囲に巻き付け、面ファスナー部２ｅ，２ｆにより接着して腰に装着すると、その円形の周縁部が骨盤の左右の上・下後腸骨棘部５０を包囲するように当接し、その凹面内底に設けた突起体７，８が上・下後腸骨棘部５０を圧迫するように配置されている。この当て具５，６は、カップ状に形成することで上・下後腸骨棘部５０へ当接させ加圧された際にズレが生じないように、突起体７，８に比べて弾力のある密着性の高い素材を使用し、突起体７，８はその圧迫効果を高めるため、硬度の高い素材が使用されている。【００１９】
ベルト本体２を装着した状態で、さらにＸ字状の補助ベルト９，１０の面ファスナー９ａ，１０ａが形成された端部を引き出しながら、ベルト本体２の面ファスナー部２ｈ，２ｉに係止接着すると、当該補助ベルト９，１０のＸ字状交点部がその裏側に設けたカップ状腸骨当て具５，６をさらに圧迫し加圧する。この補助ベルトによるカップ状腸骨当て具５，６への加圧時には、上記したように、カップ状腸骨当て具５，６の傾斜面の角度設定と回動調整によるカップ状腸骨当て具５，６のベルト本体２への取り付け向きとで設定された内下方の向きへ、突起体７，８が上・下後腸骨棘部５０を押し込むように作用する。【００２０】
すなわち、かかる内下方の向きは、鉛直方向に対しては、図５に示すように、人体の肩峰１８から大腿骨の太転子１９を結ぶラインを上・下後腸骨棘部５０まで平行にスライドさせて鉛直基準ライン２０とし、上・下後腸骨棘部５０を体軸に対して前後に直交する水平ライン３０と当該鉛直基準ライン２０との交点を基準として最大１０度から１２０度までの範囲に設定されている。【００２１】
水平方向に対しては、図６に示すよう、上記鉛直基準ライン２０と、上・下後腸骨棘部５０を体軸に対して左右に直交する水平ライン４０との交点を基準として最大１０度から１２０度までの範囲に設定されている。図５は、左側の上・下後腸骨棘部５０について説明を示しており、右側の上・下後腸骨棘部５０では基準方向が逆になる。【００２２】
かかる両要素で定まる内下方の向きに上・下後腸骨棘部５０を押し込むことにより、仙腸関節全体が連動して本来あるべき位置に矯正されることになって腰部が安定する。従来の腰用ベルトは、かかる方向への加圧を行うことにより矯正効果が生じることに全く考慮されていないかったものであり、本発明は、上・下後腸骨棘部５０に対して押し込む向きを、かかる内下方の向きとして設定することに特徴があり、骨盤の構造及び男女等の個人差を考慮し、ある程度効果的に作用する範囲として上記の範囲に設定している。しかしながら、より安定的で最適な角度としては、上記した基準に基づけば、鉛直方向で３０度から８０度、水平方向で３０度から６０度が推奨され、かかる方向に設定することで腰用ベルトの矯正効果をより確実に発揮することができる。
【産業上の利用可能性】
【００２３】
上記実施例では、カップ状腸骨当て具５，６を固定的に設けるようにしたが、着脱自在の構成とし、カップ状腸骨当て具５，６の傾斜面の角度を変更して突起体７，８の上・下後腸骨棘部５０への押し込み設定角度の範囲が異なるものを何種類か用意しておき取替え可能にすることで、使用者の性別や体格に応じて対応できるようにし、使用の汎用性を高めるようにしてもよい。また、実施例においてカップ状腸骨当て具５，６の設置個所における取付け向きを、カップ状腸骨当て具５，６自体を回動可能にして突起体７，８の上・下後腸骨棘部５０への押し込み角度を調整できるようにしているが、さらに、カップ状腸骨当て具５，６の取付け個所を可動にし、これらの設置間隔若しくは相対的な設置個所も自在に調整できるようにして、使用者にとってより適切な加圧ポイントで上・下後腸骨棘部５０への押し込み作用を発揮できるようにしてもよい。【００２４】
カップ状腸骨当て具５，６は、カップ状に形成することで上・下後腸骨棘部５０へ当接させ加圧された際にズレが生じないように、突起体７，８に比べて弾力のある密着性の高い素材を使用し、突起体７，８はその圧迫効果を高めるため、硬度の高い素材を使用しているが、突起体７，８の密着性を高める方が使用者にとってより適合する場合もあり、素材の構成を全く逆にしてもよい。
【図面の簡単な説明】
【００２５】
【図１】本発明の実施例である腰用ベルトの構成を示す内側からみた平面図である。
【図２】本発明の実施例である腰用ベルトの構成を示す外側からみた平面図である。
【図３】実施例の要部の構成を示す部分斜視図である。
【図４】（ａ）カップ状腸骨当て具の構成を示す斜視図である。（ｂ）カップ状腸骨当て具の構成を示す側面図である。
【図５】実施例における突起体の上・下後腸骨棘部への加圧方向を鉛直方向からみた場合の説明図である。
【図６】実施例における突起体の上・下後腸骨棘部への加圧方向を水平方向からみた場合の説明図である。
【図７】従来の腰用ベルトの使用状態を示す説明図である。
【符号の説明】
【００２６】
１  腰用ベルト
２  ベルト本体
５，６  カップ状腸骨当て具
７，８  突起体
９，１０  補助ベルト
５０  上・下後腸骨棘部
【図１】
2008001440.tif 000003
【図２】
2008001440.tif 000004
【図３】
2008001440.tif 000005
【図４】
2008001440.tif 000006
【図５】
2008001440.tif 000007
【図６】
2008001440.tif 000008
【図７】
2008001440.tif 000009
【国際調査報告】
2008001440.tif 000010
2008001440.tif 000011
2008001440.tif 000012
2008001440.tif 000013